(57)【要約】【課題】光ディスクから抽出したプリピット信号にエラーがないもしくはエラー訂正可能と誤って判断され、記録時の位置検索等に使われることを防ぐ。【解決手段】光ディスク記録再生装置は、光ディスクからプリピット信号を抽出して復調する復調回路と、前記抽出したプリピット信号のパターンと、光ディスクの規格で定められたプリピット信号パターンとを比較し、該比較結果を出力する信頼性判定回路と、を備え、前記比較結果を用いて、前記復調回路から出力された復調結果が誤りであるか否かを判定する。【選択図】図１
2011103162.tif 000002
【特許請求の範囲】
【請求項１】
ウォブリングされたトラックとプリピットとが形成された光ディスクからプリピット信号を抽出して復調する復調回路と、
前記抽出したプリピット信号のパターンと、光ディスクの規格で定められたプリピット信号パターンとを比較し、該比較結果を出力する信頼性判定回路と、を備え、
前記比較結果を用いて、前記復調回路から出力された復調結果が誤りであるか否かを判定する光ディスク記録再生装置。
【請求項２】
前記信頼性判定回路は、プリピット信号によるアドレス復調が完了するまでの間のパターン一致回数またはパターン不一致回数をカウントし、
前記パターン一致回数またはパターン不一致回数が所定のしきい値を超えたか否かにより、復調結果が誤りであるか否かを判定する請求項１の光ディスク記録再生装置。
【請求項３】
復調結果が誤りであると判定した期間、前記復調回路に対するクロック供給を停止するクロック制御回路を備える請求項１または２の光ディスク記録再生装置。
【請求項４】
ウォブリングされたトラックとプリピットとが形成された光ディスクからプリピット信号を抽出して復調するステップと、
前記抽出したプリピット信号のパターンと、光ディスクの規格で定められたプリピット信号パターンとを比較し、該比較結果を出力するステップと、
前記比較結果を用いて、前記復調回路から出力された復調結果が誤りであるか否かを判定するステップと、を含む光ディスク記録再生装置の制御方法。
【請求項５】
前記プリピット信号によるアドレス復調が完了するまでの間のパターン一致回数またはパターン不一致回数をカウントし、
前記パターン一致回数またはパターン不一致回数が所定のしきい値を超えたか否かにより、復調結果が誤りであるか否かを判定する請求項４の光ディスク記録再生装置の制御方法。
【請求項６】
復調結果が誤りであると判定した期間、前記復調回路に対するクロック供給を停止する請求項４または５の光ディスク記録再生装置の制御方法。
【発明の詳細な説明】
【技術分野】
【０００１】
本発明は、光ディスク記録再生装置および光ディスク記録再生装置の制御方法に関し、特に、ウォブリングされたトラックとプリピットとを有する光ディスクの記録再生装置および該光ディスクへの記録・再生を行う光ディスク記録再生装置の制御方法に関する。
【背景技術】
【０００２】
光ディスクにおいて、ある一定の規則に従いトラックにウォブル（ｗｏｂｂｌｅ）と呼ばれるうねりを付け（以下、グルーブ等にうねりを付けることを「ウォブリング」という。）、あらかじめ決められた規則に従ってランド上にプリピット（Ｐｒｅ  Ｐｉｔ）を形成したものが知られている。これらウォブルやプリピットによって記録されたプリ情報は、光ディスクへの記録時における位置決めや、情報記録媒体の回転制御に用いられる。
【０００３】
光ディスクから前記プリ情報を読み出す際に、光ディスク上の傷や指紋またはプリ情報を復調するためのクロックのジッダなどが原因で、読み出し誤りが発生する場合がある。ＤＶＤ（Ｄｉｇｉｔａｌ  Ｖｉｄｅｏ  Ｄｉｓｋ）などの光ディスクでは、前記読み出し誤りを減らすために誤り訂正という技術がある。ＤＶＤ−Ｒ（ＤＶＤ−Ｒｅｃｏｒｄａｂｌｅ）のプリ情報の誤り訂正においては、前記プリ情報の他に誤り訂正を行うために付加された情報を用いて、エラーが発生したデータの位置情報と前記エラーパターンを算出する技術があり、ＤＶＤ−Ｒのプリ情報の訂正符号には、リード・ソロモン符号が用いられている。なお、リード・ソロモン符号は、ＣＤ（Ｃｏｍｐａｃｔ  Ｄｉｓｋ）など他の光ディスクでも一般的に使用されている。
【０００４】
特許文献１に、上記のような光ディスクにランド部に形成されたプリピット（Ｌａｎｄ  Ｐｒｅ  Ｐｉｔ。以下、「ＬＰＰ」と称す。）を検出する情報記録再生装置において、ＬＰＰデータパターンが「１」または「０」の何れでもないパターンである場合、ＬＰＰデータビットにエラーあるとして該データビットがあるＬＰＰデータワードに対してパターンにエラーフラグを立てリード・ソロモン符号のイレージャ訂正を行うようにした構成が開示されている。特許文献１によると、同文献の情報記録再生装置は、少ない付加データで多くのデータの誤り訂正を行うことができ、データの誤り訂正効率の向上を図ることができるとされている。
【０００５】
図１１は、特許文献１の情報記録再生装置における復調回路の概略のブロック図である。図１１において、復調回路は、ＤＶＤ−Ｒディスク上のＬＰＰを検出するＬＰＰ検出器１１と、ＬＰＰデコーダ１２と、ＬＰＰエラー検出訂正回路１３と、ＰＬＬ（Ｐｈａｓｅ  Ｌｏｃｋｅｄ  Ｌｏｏｐ）回路１４と、タイミング発生回路１５とを備えている。
【０００６】
ＬＰＰ検出器１１及びＰＬＬ回路１４には、ＤＶＤ−Ｒディスクに光ビームを照射し、光ビームの反射光に基づいて検出されたプリ情報信号Ｓｐｐが入力される。
【０００７】
ＰＬＬ回路１４は、更に、外部から入力されたクロック信号ＣＬＫを用いて、プリ情報信号Ｓｐｐにおけるウォブリング信号の１周期に同期したウォブルクロックを抽出して出力する。
【０００８】
タイミング発生回路１５は、入力されるウォブルクロックを基にして、ＬＰＰデコーダ１２およびＬＰＰエラー検出訂正回路１３に対するそれぞれ所定の制御信号およびスタート信号を生成して出力する。
【０００９】
ＬＰＰ検出器１１は、入力されたプリ情報信号ＳｐｐからＬＰＰパルスを検出して出力する。
【００１０】
ＬＰＰデコーダ１２は、ＬＰＰ検出器１１から出力されるＬＰＰパルスのパターンを検出し、ＬＰＰデータビットとビットエラーフラグＦｗを生成し、前記生成したＬＰＰデータビット及びビットエラーフラグＦｗを、時系列的にシフトレジスタでラッチして、ＬＰＰデータワードとそれに対応するエラーフラグＦｗを出力する。
【００１１】
ＬＰＰエラー検出訂正回路１３は、ＬＰＰデコーダ１２から出力されたＬＰＰデータワード及びエラーフラグＦｗを使用してリード・ソロモン符号のイレージャ訂正を行い、得られたプリ情報デコード信号Ｓｐｊ１を出力する。
【００１２】
図１２および図１３は、図１１のＬＰＰエラー検出訂正回路１３の動作例を示したフローチャートである。最初に、ＬＰＰエラー検出訂正回路１３は、シンドロームＳ０〜Ｓ２を算出し（ステップＳ００１）、算出した各シンドロームＳ０〜Ｓ２がすべて０であるか否かを調べ（ステップＳ００２）、すべて０である場合は（ＹＥＳ）、エラーがないものと判断して（ステップＳ００３）本フローを終了する。
【００１３】
一方、ステップＳ００２で、シンドロームＳ０〜Ｓ２のいずれか１つでも０でない場合（ＮＯ）、ＬＰＰエラー検出訂正回路１３は、Ｓ０≠０であるか否か調べ（ステップＳ００４）、Ｓ０≠０である場合（ＹＥＳ）、エラー位置ｉの値を算出する（ステップＳ００５）。
【００１４】
次に、ＬＰＰエラー検出訂正回路１３は、算出したｉが、０≦ｉ≦５であるか否かを調べ（ステップＳ００６）、０≦ｉ≦５である場合（ＹＥＳ）、単一誤りの訂正を行うと共に前記誤り訂正を行った情報を出力して（ステップＳ００７）本フローを終了する。
【００１５】
また、ステップＳ００４でＳ０≠０でない場合（ＮＯ）、及びステップＳ６で０≦ｉ≦５でない場合（ＮＯ）、ＬＰＰエラー検出訂正回路１３は、図１３に示すように、エラーフラグＦｗの数が２個か否かを調べ（ステップＳ００８）、エラーフラグＦｗが２個の場合は（ＹＥＳ）、リード・ソロモン符号のイレージャ訂正を行って２重誤り訂正を行う（ステップＳ００９）。次に、ＬＰＰエラー検出訂正回路１３は、各シンドロームＳ０〜Ｓ２を再び算出し（ステップＳ０１２）、Ｓ０＝Ｓ１＝Ｓ２＝０であるか否かを調べ（ステップＳ０１３）、Ｓ０＝Ｓ１＝Ｓ２＝０である場合（ＹＥＳ）、誤り訂正を行った情報を出力して（ステップＳ０１４）本フローを終了する。一方、ステップＳ０１３で、Ｓ０〜Ｓ２のいずれかひとつでも０でない場合（ＮＯ）、ＬＰＰエラー検出訂正回路１３は、エラー検出訂正が不可能であるとして、所定の処置を行い（ステップＳ０１５）、本フローを終了する。
【００１６】
また、ステップＳ００８で、エラーフラグＦｗが２個でない場合（ＮＯ）、ＬＰＰエラー検出訂正回路１３は、エラーフラグＦｗが３個か否かを調べ（ステップＳ０１０）、エラーフラグＦｗが３個の場合（ＹＥＳ）、リード・ソロモン符号のイレージャ訂正を行って３重誤り訂正を行い（ステップＳ０１１）、ステップＳ０１２に進む。また、ステップＳ０１０で、エラーフラグＦｗが３個でない場合（ＮＯ）、ＬＰＰエラー検出訂正回路１３は、エラー検出訂正が不可能であるとして、所定の処置を行い（ステップＳ０１５）、本フローを終了する。
【００１７】
以上のように特許文献１の情報記録再生装置は、シンドローム演算結果Ｓ０、Ｓ１、Ｓ２がすべて０でない場合において、エラーフラグＦｗを用いてイレージャ訂正を実施することで、データの誤り訂正能力の向上を図っている。
【先行技術文献】
【特許文献】
【００１８】
【特許文献１】特開２００７−１５７３２６号公報
【発明の概要】
【発明が解決しようとする課題】
【００１９】
上記のように特許文献１の情報記録再生装置は、図１２のフローチャートのステップＳ００２において、シンドロームＳ０、Ｓ１、Ｓ２がすべて０であればエラーなしとして処理を終了する。また、エラーがあった場合でも、ステップＳ００４以降のフローで、誤り訂正可能な範囲であれば訂正して処理を終了する。
【００２０】
しかしながら、一般的にシンドロームＳ０、Ｓ１、Ｓ２を計算する際に正しく計算されない場合が存在する。ＤＶＤ−ＲのＬＰＰの誤り訂正においては、３ワードのアドレス情報に対して、３ワードのパリティが付加され、１ワードの誤りまで訂正可能だが、誤りの数が５ワードを超えた場合は、他の誤りがないデータと区別できないことになる。
【００２１】
この点、特許文献１の情報記録再生装置はステップＳ００２において、読み出された６ワードのデータすべてに誤りがあり、本来読み出されるべきデータとは別の誤りがないデータと同一になった場合、シンドロームＳ０、Ｓ１、Ｓ２をすべて０と計算してしまい、データの誤りを検出することができない。また、誤りの数が５ワードを超えた場合で、ステップＳ００２において入力データに誤りがあると判断した場合であっても、シンドロームＳ０、Ｓ１、Ｓ２の計算結果が正しくないために、ステップＳ００４以降の処理において、誤り訂正が出来ないデータを訂正可能であると誤った判断をしてしまう可能性がある。
【００２２】
特に、ＤＶＤ−ＲのＬＰＰのエラー訂正においては、すべての入力データが「０」であった場合は、シンドロームＳ０、Ｓ１、Ｓ２はすべて０となる。ＤＶＤ−Ｒの規格ではすべて「０」のデータは存在しないが、ディスク上の傷などが原因でＬＰＰ検出状態が悪い場合には、全てのデータを「０」と誤って検出してしまうことが起こり得る。
【００２３】
光ディスクから読み出されたデータが、エラーがない、もしくはエラー訂正可能と判断された場合、復調されたアドレスが正しいものと判断され、記録時の位置検索に使われる。よって、特許文献１の情報記録再生装置では、ディジタル情報を光ディスクに記録する際、不正なトラック位置に記録してしまうケースが起こりうる。さらに、記録する前に不正なアドレス情報であることを検出できた場合においても、記録位置の検索動作をやり直しする必要があるため、処理を再開するまで余計な処理時間を要することになる。
【課題を解決するための手段】
【００２４】
本発明の第１の視点によれば、ウォブリングされたトラックとプリピットとが形成された光ディスクからプリピット信号を抽出して復調する復調回路と、前記抽出したプリピット信号のパターンと、光ディスクの規格で定められたプリピット信号パターンとを比較し、該比較結果を出力する信頼性判定回路と、を備え、前記比較結果を用いて、前記復調回路から出力された復調結果が誤りであるか否かを判定する光ディスク記録再生装置が提供される。
【００２５】
本発明の第２の視点によれば、ウォブリングされたトラックとプリピットとが形成された光ディスクからプリピット信号を抽出して復調するステップと、前記抽出したプリピット信号のパターンと、光ディスクの規格で定められたプリピット信号パターンとを比較し、該比較結果を出力するステップと、前記比較結果を用いて、前記復調回路から出力された復調結果が誤りであるか否かを判定するステップと、を含む光ディスク記録再生装置の制御方法が提供される。本方法は、光ディスク記録再生装置という、特定の機械に結びつけられている。
【発明の効果】
【００２６】
本発明によれば、光ディスクから抽出したプリピット信号にエラーがないもしくはエラー訂正可能と誤って判断され、記録時の位置検索等に使われることを防ぐことが可能になる。その理由は、光ディスクから抽出したプリピット信号のパターンが、光ディスクの規格で定められたパターンとして存在しうるものであるか否かを確認するよう構成したことにある。
【図面の簡単な説明】
【００２７】
【図１】本発明の概要を説明するための図である。
【図２】本発明の第１の実施形態の光ディスク記録再生装置の構成を表したブロック図である。
【図３】図２のＬＰＰパターン信頼性判定回路の構成例を表したブロック図である。
【図４】ＤＶＤ−Ｒディスクに記録されている各情報の記録フォーマットを示した図である。
【図５】ＤＶＤ−Ｒディスクに記録されている各情報の記録フォーマットを示した図である。
【図６】本発明の第１の実施形態のＬＰＰパターン信頼性判定回路のタイミングチャート（閾値＝Ｎ＋２）である。
【図７】本発明の第１の実施形態のＬＰＰパターン信頼性判定回路のタイミングチャート（閾値＝１０）である。
【図８】ＬＰＰ信号のデコード結果を示した図である。
【図９】本発明の第２の実施形態の光ディスク記録再生装置の構成を表したブロック図である。
【図１０】図９の復調回路の構成例を表したブロック図である。
【図１１】背景技術として示す情報記録再生装置における復調回路のブロック図である。
【図１２】図１１のＬＰＰエラー検出訂正回路における処理フローを表したフローチャートである。
【図１３】図１２の続図である。
【発明を実施するための形態】
【００２８】
はじめに本発明の概要について説明する。本発明の光ディスクの再生装置は、図１に示すように、ウォブリングされたトラックとプリピットとが形成された光ディスクから前記ウォブルとプリピットに対応するプリ情報信号（Ｓｐｐ）を抽出して復調し、復調結果としてプリ情報デコード信号（Ｓｐｊ１）を出力する復調回路２９と、前記復調回路２９にて抽出されたプリピット信号のパターン（Ｌｐ１）と、光ディスクの規格で定められたパターンとを比較し、パターン一致または不一致を検出する信頼性判定回路３０ａと、を備え、信頼性判定回路３０ａは、前記比較結果（パターン一致またはパターン不一致）の発生状況により、前記復調回路から出力された復調結果が誤りであることを示すエラーフラグ（Ｓｐｊ２）を出力する。前記光ディスクの規格で定められたパターンとしては、例えば、ＤＶＤ−Ｒディスクの規格に定められたＤＶＤ−Ｒディスクに存在し得る４種類のＬＰＰパルス列を用いることができる。これにより、これら４種のＬＰＰパルス列と、光ディスクのウォブルとプリピットから抽出したＬＰＰパルス列とを照合することで、誤りを検出できない、あるいは、誤り訂正が不能なケースにおいて、正しくないアドレス情報が記録位置検索に使われることを防ぐことが可能となる。
【００２９】
［第１の実施形態］
図２は、本発明の第１の実施形態の光ディスク記録再生装置の構成を表したブロック図である。図２を参照すると、光ディスク記録再生装置２０は、ピックアップ２１と、再生増幅器２２と、デコーダ２３と、ＣＰＵ２４と、エンコーダ２５と、パワー制御回路２６と、レーザ駆動回路２７と、インタフェース２８と、復調回路２９と、ＬＰＰパターン信頼性判定回路３０と、スピンドルモータ３１およびスピンドルドライバ３２を備える。
【００３０】
ピックアップ２１は、レーザ駆動回路２７から出力されるレーザ駆動信号Ｓｄ１に基づいて光ビームＢをＤＶＤ−Ｒディスク１の情報記録面に照射する。また、ピックアップ２１は、ウォブルやプリピットを含むすでに記録されているディジタル情報（以下、プリ情報という。）がある場合は、光ビームＢの反射光に基づいて、これらプリ情報を含むピックアップ検出信号Ｓｄｔを検出する。
【００３１】
再生増幅器２２は、ピックアップ検出信号Ｓｄｔを増幅し、記録のために必要なプリ情報信号Ｓｐｐを出力すると共に、すでに記録されているディジタル情報に対応する増幅信号Ｓｐを出力する。
【００３２】
デコーダ２３は、増幅信号Ｓｐを復調し、復調信号ＳｄｍをＣＰＵ２４へ出力する。
【００３３】
インタフェース２８は、ＣＰＵ２４の制御に基づいてホストコンピュータから送信されてくるディジタル情報Ｓｒｒを光ディスク記録再生装置２０に取り込むためのインタフェース動作を行い、インタフェース処理後のディジタル情報Ｓｒｒを、ＣＰＵ２４を介してエンコーダ２５へ出力する。
【００３４】
エンコーダ２５は、ＣＰＵ２４から出力されるディジタル情報Ｓｒｒに対して変調処理を施して変調信号Ｓｒｅを生成し、パワー制御回路２６へ出力する。
【００３５】
パワー制御回路２６は、変調信号Ｓｒｅを波形変換し、レーザ駆動回路２７へ記録信号Ｓｄを出力する。
【００３６】
レーザ駆動回路２７は、記録信号Ｓｄに基づいて、ピックアップ２１が光ビームＢを出射させるためのレーザ駆動信号Ｓｄ１を出力する。
【００３７】
一方、復調回路２９は、再生増幅器２２からのプリ情報信号Ｓｐｐを復調し、得られたプリ情報デコード信号Ｓｐｊ１をＣＰＵ２４へ出力する。また、プリ情報信号Ｓｐｐから検出されたＬＰＰパルスＬｐ１をＬＰＰパターン信頼性判定回路３０へ出力する。
【００３８】
ＬＰＰパターン信頼性判定回路３０は、復調回路２９から出力されたＬＰＰパルスＬｐ１と、再生増幅器２２から出力されたプリ情報信号Ｓｐｐに基づいて、復調回路２９が生成するプリ情報デコード信号Ｓｐｊ１に対するエラーフラグＳｐｊ２を生成し、ＣＰＵ２４へ出力する。
【００３９】
ＣＰＵ２４は、復調回路２９から出力されるプリ情報デコード信号Ｓｐｊ１とＬＰＰパターン信頼性判定回路３０から出力されるエラーフラグＳｐｊ２に基づいて、プリ情報を取得し、前記プリ情報に含まれているアドレス情報に対応するＤＶＤ−Ｒディスク１上の位置にディジタル情報Ｓｒｒを記録する動作を制御する。前記動作と平行して、ＣＰＵ２４は、復調信号Ｓｄｍに基づいてすでに記録されていたディジタル情報に対応する再生信号を、インタフェース２８を介して外部へ出力すると共に、光ディスク記録再生装置２０全体の動作を制御する。
【００４０】
スピンドルドライバ３２は、スピンドルモータ３１の回転制御信号を生成する。
【００４１】
スピンドルモータ３１は、スピンドルドライバ３２の制御に基づいて、ＤＶＤ−Ｒディスク１の回転を制御する。
【００４２】
図３は、図２のＬＰＰパターン信頼性判定回路の構成例を表したブロック図である。図３を参照すると、シフトレジスタ２０１と、パターン比較器２０２と、パターン不一致数カウンタ２０３と、値比較器２０４と、エラーフラグラッチ回路２０５と、ＬＰＰパターン信頼性判定回路タイミング発生器２０６とを備えたＬＰＰパターン信頼性判定回路３０が示されている。
【００４３】
ＬＰＰパターン信頼性判定回路タイミング発生器２０６は、再生増幅器２２から出力されたプリ情報信号Ｓｐｐに基づいて、シフトレジスタ２０１と、パターン不一致数カウンタ２０３およびエラーフラグラッチ回路２０５の各制御信号を生成する。具体的には、前記制御信号ＷＢＣＬＫは、プリ情報信号Ｓｐｐにおけるウォブリング信号の１周期に同期したクロックである。制御信号ＦＲＭＴＩＭは、プリピットが形成されているＥＶＥＮフレーム又はＯＤＤフレームにおいて、図４に示すプリピット位置のｂ０、ｂ１、ｂ２のうち、ｂ２の位置のプリピットに対するＬＰＰパルスが検出された直後に発生する。また、
制御信号ＣＬＲは、アドレス復調が完了するタイミングで発生する。
【００４４】
シフトレジスタ２０１は、ＬＰＰパターン信頼性判定回路タイミング発生器２０６の制御信号ＷＢＣＬＫに応じて、復調回路２９のＬＰＰ検出器（図１０参照）から出力されたＬＰＰパルスＬｐ１を取得し、３ビット分のＬＰＰパルス情報Ｌｐ２をパターン比較器２０２へ出力する。
【００４５】
パターン比較器２０２は、シフトレジスタ２０１から出力される３ビット分のＬＰＰパルス情報Ｌｐ２と、予め定めた４種類のデータパターンについてパターン比較を行い、前記比較動作によって得られたパターン不一致情報Ｐｎｅをパターン不一致数カウンタ２０３に出力する。
【００４６】
本実施形態では、前記４種類のデータパターンとして、ＤＶＤ−Ｒディスクの規格に定められた、ＤＶＤ−Ｒディスクに存在し得るパターンを用いるものとする。
【００４７】
図４および図５は、ＤＶＤ−Ｒディスク１に記録されている各情報の記録フォーマットを示した図である。図４は、記録情報を再生して得られた信号の内、プリピット信号が得られる部分の信号例を示しており、図５は、記録情報を再生して得られた信号全体の例を示している。図４および図５において、ウォブリング信号波形は、記録情報が記録されているトラックのウォブリング状態を反映した形状になっている。
【００４８】
また、ＤＶＤ−Ｒディスク１に記録されている記録情報は、情報記録単位としてのシンクフレームごとにあらかじめ分割され、２６シンクフレームによって１レコーディングセクタが形成される。なお、１シンクフレームは、記録情報を記録する際に記録フォーマットによって規定されたビット間隔に対応する単位長さＴの１４８８倍の長さを有している。
【００４９】
ＤＶＤ−Ｒディスク１におけるプリ情報も同様に、シンクフレームごとに記録される。各シンクフレームの同期信号が記録される領域に隣接するランドトラック上に、プリ情報の同期信号を表すものとしてとして必ず１つのプリピットが形成される。同時に、前記同期情報以外のシンクフレーム内の前半部分に隣接するトラック上には、記録すべきプリ情報の内容を示すものとして、１つ又は２つのプリピットが形成されている。
【００５０】
なお、同期情報以外のシンクフレーム内の前半部分においては、記録すべきプリ情報の内容によってはプリピットが形成されない場合もある。また、１つのレコーディングセクタにおいては、偶数番目のシンクフレーム（以下、これを「ＥＶＥＮフレーム」と呼ぶ）のみ、または奇数番目のシンクフレーム（以下、これを「ＯＤＤフレーム」と呼ぶ）のみにプリピットが形成される場合がある。
【００５１】
このようにして形成されるプリピットの再生信号は、図４に示すようにウォブリング信号に重畳されており、通常は、ＥＶＥＮシンクフレームにプリピット信号が現れる。しかし、プリピットが隣接する場合には、プリピット信号間でクロストークが発生するため、図５の破線で示した部分のように、ＯＤＤシンクフレームによってプリピット信号が得られるようにプリピットが形成されている。
【００５２】
プリピット信号は、図４に示すように、ウォブリング信号の８サイクル中のｂ０、ｂ１、ｂ２で示す３ヶ所に発生する。
【００５３】
図８は、上記のように記録されたＬＰＰ信号のデコード結果を示した図である。ＤＶＤ−Ｒディスク１には、前記ｂ０、ｂ１、ｂ２で示す３ヶ所に「１１１」、「１１０」、「１０１」、「１００」の４種類ののうちのいずれかのＬＰＰパルス列が存在する。
【００５４】
図８に示すとおり、パルス列「１１１」は、ＥＶＥＮシンクフレームの先頭位置を示し、パルス列「１１０」は、ＯＤＤシンクフレームの先頭位置を示す。また、パルス列１０１は論理１を示し、パルス列１００は論理０を示す。
【００５５】
前記ＬＰＰパターン信頼性判定回路３０のパターン比較器２０２が、シフトレジスタ１０１から出力される３ビット分のＬＰＰパルス情報Ｌｐ２と比較するパルス列は、図５に示す「１１１」、「１１０」、「１０１」、「１００」の４種類のパターンである。シフトレジスタ１０１から出力される３ビット分のＬＰＰパルス情報Ｌｐ２が、前記４種類の何れのパターンとも一致しない場合、パターン比較器２０２は、パターン不一致情報ＰｎｅをＨｉｇｈにし、また、ＬＰＰパルス情報Ｌｐ２が、何れかのパターンと一致した場合は、パターン不一致情報ＰｎｅをＬｏｗにする。
【００５６】
パターン不一致数カウンタ２０３は、ＬＰＰパターン信頼性判定回路タイミング発生器２０６から出力される制御信号ＦＲＭＴＩＭに基づいて、パターン比較器から出力されたパターン不一致情報Ｐｎｅを取得し、不一致になったパターン数をカウントし、前記カウント値Ｃｎを値比較器２０４に出力する。制御信号（クリア信号）ＣＬＲが入力されると、パターン不一致数カウンタ２０３が保持するカウント値Ｃｎは、リセットされる。
【００５７】
値比較器２０４は、パターン不一致数カウンタ２０３から出力されたカウンタ値Ｃｎと、予め決められた閾値ＴＨを比較し、パターン不一致数が閾値を超えたことを示すエラーフラグＦ２をエラーフラグラッチ回路２０５へ出力する。
【００５８】
エラーフラグラッチ回路２０５は、ＬＰＰパターン信頼性判定回路タイミング発生器２０６から出力される制御信号ＣＬＲのタイミングで、値比較器２０４から出力されるエラーフラグＦ２をラッチして、ラッチ後のエラーフラグＳｐｊ２をＣＰＵ２４に対して出力する。
【００５９】
ＣＰＵ２４は、エラーフラグＳｐｊ２がＨｉｇｈの場合、プリ情報デコード信号Ｓｐｊ１にエラーがあると判断し、前記プリ情報に含まれているアドレス情報にエラーがあると判断し、前記アドレス情報により記録動作の制御を行わず、次のアドレス取得の機会を待つ。また、前記エラーフラグＳｐｊ２がＬｏｗの場合は、前記プリ情報デコード信号Ｓｐｊ１に含まれる誤り訂正結果に基づいて、前記プリ情報デコード信号Ｓｐｊ１に含まれるアドレス情報の誤りの有無を判断する。前記誤り訂正結果において誤りがないと判断された場合、ＣＰＵ２４は、前記アドレス情報に従って記録動作の制御を行う。一方、前記誤り訂正結果において誤りがあったと判定された場合、ＣＰＵ２４は、前記アドレス情報により記録動作の制御を行わず、次のアドレス取得の機会を待つ。
【００６０】
続いて、本実施形態の動作について図面を参照して詳細に説明する。図１において、ＬＰＰパターン信頼性判定回路３０の動作と、ＣＰＵ２４が、ＬＰＰパターン信頼性判定回路３０が生成するエラーフラグＳｐｊ２と、復調回路２９から出力されるプリ情報デコード信号Ｓｐｊ１に含まれるエラー訂正結果に基づいて、プリ情報デコード信号Ｓｐｊ１に含まれるアドレス情報のエラーの有無を判定する動作を除いては、特許文献１と同じ動作であり、すでに説明したので説明を省略する。
【００６１】
ＬＰＰパターン信頼性判定回路３０は、図２に示すように、復調回路２９から出力されるＬＰＰパルスＬｐ１を、ＬＰＰパターン信頼性判定回路タイミング発生器２０５で生成される制御信号ＷＢＣＬＫのタイミングでシフトレジスタ２０１に取り込む。シフトレジスタ２０１は３ビット分のＬＰＰパルス情報を格納することができ、前記制御信号ＷＢＬＣＫが発生する毎に、時系列で一番古い情報が１ビット更新されるように動作する。
【００６２】
パターン比較器２０２は、前記シフトレジスタ２０１から出力される３ビット分のＬＰＰパルス情報Ｌｐ２と、ＤＶＤ−Ｒディスクに存在し得る４種類のＬＰＰパターン（１１１、１１０、１０１、１００）と、それぞれ比較を行い、４種類の何れのパターンとも一致しない場合は、パターン不一致情報ＰｎｅをＨｉｇｈにし、また、何れかのパターンと一致した場合は、パターン不一致情報ＰｎｅをＬｏｗにしてパターン不一致数カウンタ２０３に対して出力する。
【００６３】
パターン不一致数カウンタ２０３は、ＬＰＰパターン信頼性判定回路タイミング発生器２０６で生成される制御信号ＦＲＭＴＩＭのタイミングで、パターン比較器２０２から出力されたパターン不一致情報Ｐｎｅを取得し、前記パターン不一致情報ＰｎｅがＨｉｇｈ（不一致）を示している場合はカウント値Ｃｎの現在の値をインクリメントし、前記パターン不一致情報ＰｎｅがＬｏｗ（一致）の場合は、カウント値Ｃｎの現在の値を保持するように動作し、前記カウント値Ｃｎを値比較器２０４に出力する。
【００６４】
パターン不一致数カウンタ２０３で取得されるパターン不一致情報Ｐｎｅは、ＥＶＥＮフレーム又はＯＤＤフレームのシンクフレーム毎に発生するｂ０、ｂ１、ｂ２位置で検出されたＬＰＰパターンと、１１１，１１０，１０１，１００の４種類のパターンとの比較結果となる。
【００６５】
値比較器２０４は、パターン不一致数カウンタ２０３から出力されたカウンタ値と、予め設定された閾値ＴＨを比較し、不一致数が閾値を超えたことを示すエラーフラグＦ２を、エラーフラグラッチ回路２０５へ出力する。
なお、本実施形態において、閾値ＴＨは予め設定してあるものとしているが、前記閾値をＣＰＵ２４の制御によって任意に設定できるようにしてもよい。
【００６６】
図６および図７は、本実施形態のＬＰＰパターン信頼性判定回路３０のタイミングチャートである。図６は、比較カウンタ２０４の閾値としてＮ＋２（Ｎは任意の整数）が設定されている場合のＬＰＰパターン信頼性判定回路の動作例である。
【００６７】
図６において、パターン不一致数カウンタのカウント値は、制御信号ＦＲＭＴＩＭのタイミングで、シフトレジスタ２０１に保持されている３ビットのＬＰＰパターンと、図８に示すＤＶＤ−Ｒの規格に定められた１１１、１１０、１０１、１００の４種類のＬＰＰパターンとの比較結果に基づき、４種類の何れにも一致しないパターン（図６の破線内の「００１」、「０００」、「０００」）であったときに、インクリメントされる。一方、ＤＶＤ−Ｒの規格に定められた１１１、１１０、１０１、１００の４種類の何れかのパターンと一致したときは、現在のカウント値が保持される。
【００６８】
値比較器２０５は、前記カウント値が閾値Ｎ＋２以上になったことを検出すると、エラーフラグＦ２をＨｉｇｈにする。
【００６９】
図７は、値比較カウンタ２０４の閾値を１０としたときのＬＰＰパターン信頼性判定回路３０の動作例であり、図６のＬＰＰ検出位置、ＬＰＰパターンおよび制御信号ＦＲＭＴＩＭを省略し、プリ情報デコード信号Ｓｐｊ１と前記プリ情報に対応したエラーフラグＳｐｊ２の更新タイミングを記した図である。
【００７０】
図７の場合も同様に、エラーフラグＦ２は、ＬＰＰパターン不一致数カウンタの値が、閾値１０以上になったときＨｉｇｈになる。
【００７１】
アドレス復調が完了するタイミングで発生する制御信号ＣＬＲが入力されると、エラーフラグＦ２をラッチし、エラーフラグＳｐｊ２「Ｈｉｇｈ」が生成される。また、パターン不一致数カウンタのカウント値Ｃｎは０にクリアされる。また、プリ情報Ｓｐｊ１の更新は、アドレス復調が完了するタイミングで行われる。
【００７２】
ＣＰＵ２４は、アドレス復調が完了する毎に、プリ情報デコード信号Ｓｐｊ１と、プリ情報デコード信号Ｓｐｊ１に対応したエラーフラグＳｐｊ２を取り込み、エラーフラグＳｐｊ２がＨｉｇｈを示し、復調データにエラーがあると判定された場合は、前記プリ情報デコード情報Ｓｐｊ１に含まれるエラー有無情報に関わらず、前記プリ情報デコード情報Ｓｐｊ１に含まれるアドレス情報に誤りがあると判断する。一方、エラーフラグＳｐｊ２がＬｏｗ（エラーなし）の場合で、かつ、プリ情報デコード信号Ｓｐｊ１に含まれるエラー訂正結果が「エラーなし」もしくは「エラーがあったが訂正済み」を示す場合、ＣＰＵ２４は、プリ情報デコード信号Ｓｐｊ１に含まれるアドレス情報を記録のための位置検索に用いる。
【００７３】
たとえば、復調回路２９のプリ情報の復調処理において、訂正符号による誤り訂正の訂正結果が不正になる程、入力データに誤りが多い場合においては、ＬＰＰパターンが正しく検出できない可能性が高い。
【００７４】
この点、前記エラーフラグＳｐｊ２は、ＬＰＰパターンが正しく検出できているかの情報に基づいて生成されているため、訂正符号による誤り訂正で訂正できない数の誤りがあった場合においても、正しくエラーを検出することが可能となる。
【００７５】
冒頭に述べたように特許文献１では入力データに誤りが多い場合において誤り訂正におけるエラーの有無情報が不正になり、不正なアドレス情報に対して誤りがないと判定されるという現象が発生するが、本発明では、前記エラーフラグＳｐｊ２を用いて、上記のような誤りを検出し、不正なアドレス情報を記録位置検索に用いることを抑止することが可能になる。また、エラーフラグＦ２をオンにするしきい値（図６の「Ｎ＋２」や図７の「１０」）は一定値に固定する必要はなく、適宜変更できるようにしてもよい。たとえば、光ディスクやピックアップの状態に応じてしきい値を変更することで、より正確に判定を行わせることが可能になる。
【００７６】
［第２の実施形態］
続いて、上記した第１の実施形態に変更を加えた第２の実施形態について説明する。図９は、本発明の第２の実施形態の光ディスク記録再生装置４０の構成を示した概略のブロック図である。
【００７７】
本発明の第２の実施形態の全体構成上の相違点は、第１の実施形態の光ディスク記録再生装置４０のＬＰＰパターン信頼性判定回路３０が生成するエラーフラグＦ２を、復調回路４１にも入力するよう構成した点である。エラーフラグＦ２は、第１の実施形態のＬＰＰパターン信頼性判定回路３０の値比較器２０４が生成するエラーフラグである。それ以外の構成は第１の実施形態と同様であるので、説明を省略する。
【００７８】
図１０は、本発明の第２の実施形態の光ディスク記録再生装置の復調回路４１の回路例を示した概略のブロック図である。復調回路４１は、外部から供給されるクロックＣＬＫと前記エラーフラグＦ２がクロック制御回路４２に入力され、前記クロック制御回路４２がＰＬＬ回路１４の動作クロックを生成する構成であり、それ以外の構成は第１の実施形態の復調回路２９と同様である。
【００７９】
クロック制御回路４２は、ＬＰＰパターン信頼性判定回路３０から出力されたエラーフラグＦ２がＨｉｇｈを示すときに、復調回路４１へ供給するクロックを停止し、前記エラーフラグＦ２がＬｏｗを示すときに、外部から供給されるクロックＣＬＫをそのままＰＬＬ回路１４へ出力するように動作する。
【００８０】
本実施形態によれば、エラーフラグＦ２がＨｉｇｈを示し、復調回路４１が生成するプリ情報デコード信号Ｓｐｊ１が不正になる可能性が高いと判断したときに（図６、図７参照）、復調回路４１におけるＰＬＬ回路１４へのクロック供給を停止させることで消費電力削減の効果が得られる。
【００８１】
以上、本発明の好適な実施形態を説明したが、本発明は、上記した実施形態に限定されるものではなく、本発明の基本的技術的思想を逸脱しない範囲で、更なる変形・置換・調整を加えることができる。例えば、上記した実施形態では、ＤＶＤ−Ｒに適用した例を挙げて説明したが、ＤＶＤ−ＲＷ等のその他の規格についても、パターン比較器に、それぞれの規格において存在しうるパターンをセットすることで対応することが可能である。
【００８２】
また、上記した実施形態では、パターン比較器にて検出したパターン不一致の回数をカウントしてしきい値（図６の「Ｎ＋２」、図７の「１０」）と比較するものとして説明したが、パターン一致の回数をカウントし、その回数がしきい値を超えたか否かにより信頼性を確認する構成も採用可能である。
【符号の説明】
【００８３】
１              ＤＶＤ−Ｒディスク
１１            ＬＰＰ検出器
１２            ＬＰＰデコーダ
１３            ＬＰＰエラー検出訂正回路
１４            ＰＬＬ回路
１５            タイミング発生回路
２０、４０      光ディスク記録再生装置
２１            ピックアップ
２２            再生増幅器
２３            デコーダ
２４            ＣＰＵ
２５            エンコーダ
２６            パワー制御回路
２７            レーザ駆動回路
２８            インタフェース
２９            復調回路
３０            ＬＰＰパターン信頼性判定回路
３０ａ          信頼性判定回路
３１            スピンドルモータ
３２            スピンドルドライバ
４１            復調回路
４２            クロック制御回路
２０１          シフトレジスタ
２０２          パターン比較器
２０３          パターン不一致数カウンタ
２０４          値比較器
２０５          エラーフラグラッチ回路
２０６          ＬＰＰパターン信頼性判定回路タイミング発生器
ＴＨ            閾値
Ｂ              光ビーム
Ｓｄｔ          ピックアップ検出信号
Ｓｐ            増幅信号
Ｓｄｍ          復調信号
Ｓｒｒ          ディジタル情報
Ｓｒｅ          変調信号
Ｓｄ            記録信号
Ｓｄ１          レーザ駆動信号
Ｓｐｐ          プリ情報信号
Ｌｐ１          ＬＰＰパルス
Ｓｐｊ１        プリ情報デコード信号
Ｓｐｊ２        エラーフラグ
ＦＲＭＴＩＭ    制御信号
ＣＬＲ          制御信号（クリア信号）
Ｌｐ２          ３ビット分のＬＰＰパルス情報
Ｐｎｅ          パターン不一致情報
Ｃｎ            パターン不一致数カウンタのカウント値
Ｆ２            値比較器生成のエラーフラグ
Ｔ              単位長さ
ＷＢＣＬＫ      制御信号
【図１】
2011103162.tif 000003
【図２】
2011103162.tif 000004
【図３】
2011103162.tif 000005
【図４】
2011103162.tif 000006
【図５】
2011103162.tif 000007
【図６】
2011103162.tif 000008
【図７】
2011103162.tif 000009
【図８】
2011103162.tif 000010
【図９】
2011103162.tif 000011
【図１０】
2011103162.tif 000012
【図１１】
2011103162.tif 000013
【図１２】
2011103162.tif 000014
【図１３】
2011103162.tif 000015